(57)【要約】【課題】紫外線を受けて光を放射する対象物に対して、当該光の受光対象となる範囲を確実に設定できる紫外線照射装置およびそれを備える紫外線照射システムを提供する。【解決手段】ガイド光光源３８が発生するガイド光５８は、コリメートレンズ６４を通過してダイクロイックミラー６６に入射する。そして、ガイド光５８は励起紫外線５０と同一の光学経路を同方向に伝搬してターゲットＴＧへ照射される。励起紫外線５０の照射領域に対応するガイド光５８の投射像によって、ユーザは、紫外線硬化樹脂における測定対象範囲を視認することができる。【選択図】図４
2009074927.tif 000002
【特許請求の範囲】
【請求項１】
対象物に紫外線を照射する紫外線照射装置であって、
紫外線を発生する紫外線光源と、
前記紫外線光源からの紫外線を受けて前記対象物から放射される光を受光する受光部と、
前記紫外線光源から前記対象物までの光学経路上および前記対象物から前記受光部までの光学経路上の少なくとも一方の所定位置に配置された光学系と、
可視領域の波長を含むガイド光を発生するガイド光光源とを備え、
前記ガイド光光源は、前記紫外線光源から前記光学系を通過して前記対象物へ照射される前記紫外線の照射領域、および前記対象物から前記光学系を通過して前記受光部へ入射する光に対する前記受光部の受光視野の少なくとも一方に対応するように前記ガイド光を前記対象物へ照射し、
前記光学系は、通過する紫外線または光の焦点位置を変更可能に構成され、
前記ガイド光は、前記光学系による前記焦点位置の変更に伴って、前記対象物における照射範囲が変化する、紫外線照射装置。
【請求項２】
前記光学系は、前記紫外線光源から前記対象物までの光学経路上の所定位置に配置された可動レンズ機構を含み、
前記紫外線照射装置は、前記紫外線光源と前記可動レンズ機構との間の光学経路上の所定位置に前記ガイド光を注入する光注入部をさらに備える、請求項１に記載の紫外線照射装置。
【請求項３】
前記対象物における紫外線の照射領域は、前記可動レンズ機構によって、前記対象物における前記受光部の受光視野と同一またはそれより小さい範囲で変化する、請求項２に記載の紫外線照射装置。
【請求項４】
前記光学系は、前記対象物から前記受光部までの光学経路上の所定位置に配置された可動レンズ機構を含み、
前記紫外線照射装置は、前記可動レンズ機構と前記受光部との間の光学経路上の所定位置に前記ガイド光を注入する光注入部をさらに備え、
前記ガイド光は、前記蛍光の伝播経路上を前記光注入部から前記対象物へ向けて伝播する、請求項１に記載の紫外線照射装置。
【請求項５】
前記対象物における前記受光部の受光視野は、前記可動レンズ機構によって、前記対象物における紫外線の照射領域と同一またはそれより小さい範囲で変化する、請求項４に記載の紫外線照射装置。
【請求項６】
前記ガイド光光源は、
第１のガイド光を発生する第１の発光部と、
第２のガイド光を発生する第２の発光部とを含み、
前記光学系は、
前記紫外線光源から前記対象物までの光学経路上の所定位置に配置された第１の可動レンズ機構と、
前記対象物から前記受光部までの光学経路上の所定位置に配置された第２の可動レンズ機構とを含み、
前記紫外線照射装置は、
前記紫外線光源と前記第１の可動レンズ機構との間の光学経路上の所定位置に前記第１のガイド光を注入する第１の光注入部と、
前記第２の可動レンズ機構と前記受光部との間の光学経路上の所定位置に前記第２のガイド光を注入する第２の光注入部をさらに備える、請求項１に記載の紫外線照射装置。
【請求項７】
前記第１のガイド光は、前記第２のガイド光と異なる波長範囲をもつ、請求項６に記載の紫外線照射装置。
【請求項８】
前記第１および第２の発光部のいずれか一方は、対応するガイド光を間欠照射する、請求項６または７に記載の紫外線照射装置。
【請求項９】
前記紫外線照射装置は、前記紫外線光源から前記対象物までの光学経路上に配置された光分離部をさらに備え、
前記光分離部は、前記紫外線光源からの紫外線と、前記対象物から放射される光のうち前記紫外線の伝播経路と同一の伝播経路を前記紫外線とは逆方向に伝播する光とを分離し、
前記受光部は、前記分離部において分離された光を受光する、請求項１〜８のいずれか１項に記載の紫外線照射装置。
【請求項１０】
前記受光部は、前記対象物から放射され、前記紫外線光源の伝播経路とは異なる伝播経路を伝播する光を受光する、請求項１〜８のいずれか１項に記載の紫外線照射装置。
【請求項１１】
モノマーおよびオリゴマーの少なくとも一方からなる主剤と光重合開始剤とを含む紫外線硬化樹脂を硬化させるための紫外線照射システムであって、
前記紫外線硬化樹脂の硬化反応を促進するための第１の紫外線を照射する光源装置と、
請求項１〜１０のいずれか１項に記載の紫外線照射装置とを備え、
前記紫外線照射装置は、前記紫外線硬化樹脂を活性化するための第２の紫外線を発生するとともに、前記第２の紫外線を受けて前記光重合開始剤から放射される蛍光を受光し、さらに、
前記紫外線照射装置で受光される蛍光の量に基づいて、前記紫外線硬化樹脂の硬化状態を判断する判断部を備える、紫外線照射システム。
【発明の詳細な説明】
【技術分野】
【０００１】
この発明は紫外線照射装置およびそれを備える紫外線照射システムに関し、特に紫外線硬化樹脂の硬化処理に適した装置に関する。
【背景技術】
【０００２】
近年、多くの産業分野において、接着剤やコーティング剤の硬化方法として紫外線硬化法（Ultra Violet Curing）が利用されている。紫外線硬化法は、熱エネルギーを利用する熱硬化方法に比較して、有害物質を大気中に放散しない、硬化時間が短い、熱に弱い製品にも適用できるなどの多くの利点を有している。
【０００３】
紫外線硬化法では、紫外線照射前においては主に液体である一方、紫外線照射後においては固体に変化する、紫外線硬化樹脂が用いられる。このような紫外線硬化樹脂は、主剤としてモノマーおよびオリゴマーの少なくとも一方を含み、さらに光重合開始剤を含む。光重合開始剤は、照射される紫外線を受けてラジカルやカチオンを発生し、発生したラジカルやカチオンがモノマーやオリゴマーと重合反応を生じる。この重合反応に伴いモノマーやオリゴマーはポリマーに変化し、分子量が極めて大きくなるとともに、融点が低下する。この結果、紫外線硬化樹脂は液体状態を維持できなくなって固体に変化する。
【０００４】
一方、目視による紫外線硬化樹脂の硬化度や品質異常有無の判断は困難であり、紫外線硬化樹脂の硬化反応状態を容易に判断する方法が要望されている。そこで、たとえば特許第２６５１０３６号公報（特許文献１）には、硬化可能材料の硬化度の関数として変化するように発光するプローブを紫外線硬化樹脂に添加することで、硬化可能コーティング材料の硬化程度を監視する方法が開示されている。しかしながら、上述のプローブのように特別な材料を添加することはコスト的に不利であり、また品質上の観点からそのようなプローブを添加することが許容されない場合も多いため、汎用的ではない。
【０００５】
これに対して、本願発明者らは、紫外線硬化樹脂に対する紫外線照射に応じて、紫外線硬化樹脂に含まれる光重合開始剤自体が紫外線硬化樹脂の状態（たとえば、硬化度）と相関のある観測可能な蛍光を放射する事実を見出し、この事実を利用した紫外線硬化樹脂の状態推定方法を特願２００６−０７１５８０号として出願した。
【特許文献１】特許第２６５１０３６号公報
【発明の開示】
【発明が解決しようとする課題】
【０００６】
上述の紫外線硬化樹脂の状態推定方法によれば、紫外線光源で発生した紫外線を対象物である紫外線硬化樹脂に照射するとともに、この紫外線によって生じた蛍光を受光部で検出し、この受光部で検出される蛍光量に基づいて硬化状態が判断される。したがって、紫外線硬化樹脂における硬化状態の測定対象範囲（測定対象領域）は、紫外線硬化樹脂における紫外線の照射領域と受光部の受光視野との関係によって定まることになる。
【０００７】
ところで、紫外線は不可視光であり、その照射領域を目視で確認することはできない。また、受光部の受光視野についても目視で確認することはできない。そのため、紫外線硬化樹脂においていずれの部分が測定対象範囲になっているのかを一見して把握することはできなかった。
【０００８】
また、対象物である紫外線硬化樹脂の塗布量や粘性などに応じて、紫外線硬化樹脂の塗布範囲は変動しやすいので、塗布状態に応じて測定対象範囲を適宜変更することが望ましい。しかしながら、上述したように、紫外線硬化樹脂における測定対象範囲を一見して把握することはできないので、事実上、測定対象範囲を適宜変更することはできなかった。
【０００９】
そこで、この発明は、かかる問題を解決するためになされたものであり、その目的は、紫外線を受けて光を放射する対象物に対して、当該光の受光対象となる範囲を確実に設定できる紫外線照射装置およびそれを備える紫外線照射システムを提供することである。
【課題を解決するための手段】
【００１０】
この発明のある局面に従えば、対象物に紫外線を照射する紫外線照射装置であって、紫外線を発生する紫外線光源と、紫外線光源からの紫外線を受けて対象物から放射される光を受光する受光部と、紫外線光源から対象物までの光学経路上および対象物から受光部までの光学経路上の少なくとも一方の所定位置に配置された光学系と、可視領域の波長を含むガイド光を発生するガイド光光源とを備える。ガイド光光源は、紫外線光源から光学系を通過して対象物へ照射される紫外線の照射領域、および対象物から光学系を通過して受光部へ入射する光に対する受光部の受光視野の少なくとも一方に対応するようにガイド光を対象物へ照射し、光学系は、通過する紫外線または光の焦点位置を変更可能に構成され、ガイド光は、光学系による焦点位置の変更に伴って、対象物における照射範囲が変化する。
【００１１】
この局面によれば、紫外線光源から対象物へ照射される紫外線の照射領域、または対象物から受光部へ入射する光に対する受光部の受光視野に対応するように、ガイド光が対象物に照射される。ユーザは、このガイド光の投射像を参照することで、対象物における受光対象となる範囲を把握することができる。そのため、ユーザは、このガイド光の投射像に基づいて紫外線照射装置と対象物との間の位置関係を調整することで、光の受光対象となる範囲を確実に所望の範囲に設定できる。
【００１２】
好ましくは、光学系は、紫外線光源から対象物までの光学経路上の所定位置に配置された可動レンズ機構を含み、紫外線照射装置は、紫外線光源と可動レンズ機構との間の光学経路上の所定位置にガイド光を注入する光注入部をさらに備える。
【００１３】
さらに好ましくは、対象物における紫外線の照射領域は、可動レンズ機構によって、対象物における受光部の受光視野と同一またはそれより小さい範囲で変化する。
【００１４】
また好ましくは、光学系は、対象物から受光部までの光学経路上の所定位置に配置された可動レンズ機構を含み、紫外線照射装置は、可動レンズ機構と受光部との間の光学経路上の所定位置にガイド光を注入する光注入部をさらに備え、ガイド光は、蛍光の伝播経路上を光注入部から対象物へ向けて伝播する。
【００１５】
さらに好ましくは、対象物における受光部の受光視野は、可動レンズ機構によって、対象物における紫外線の照射領域と同一またはそれより小さい範囲で変化する。
【００１６】
また好ましくは、ガイド光光源は、第１のガイド光を発生する第１の発光部と、第２のガイド光を発生する第２の発光部とを含み、光学系は、紫外線光源から対象物までの光学経路上の所定位置に配置された第１の可動レンズ機構と、対象物から受光部までの光学経路上の所定位置に配置された第２の可動レンズ機構とを含む。紫外線照射装置は、紫外線光源と第１の可動レンズ機構との間の光学経路上の所定位置に第１のガイド光を注入する第１の光注入部と、第２の可動レンズ機構と受光部との間の光学経路上の所定位置に第２のガイド光を注入する第２の光注入部をさらに備える。
【００１７】
さらに好ましくは、第１のガイド光は、第２のガイド光と異なる波長範囲をもつ。
好ましくは、第１および第２の発光部のいずれか一方は、対応するガイド光を間欠照射する。
【００１８】
好ましくは、紫外線照射装置は、紫外線光源から対象物までの光学経路上に配置された光分離部をさらに備え、光分離部は、紫外線光源からの紫外線と、対象物から放射される光のうち紫外線の伝播経路と同一の伝播経路を紫外線とは逆方向に伝播する光とを分離し、受光部は、分離部において分離された光を受光する。
【００１９】
好ましくは、受光部は、対象物から放射され、紫外線光源の伝播経路とは異なる伝播経路を伝播する光を受光する。
【００２０】
この発明の別の局面に従えば、モノマーおよびオリゴマーの少なくとも一方からなる主剤と光重合開始剤とを含む紫外線硬化樹脂を硬化させるための紫外線照射システムであって、紫外線硬化樹脂の硬化反応を促進するための第１の紫外線を照射する光源装置と、上記の紫外線照射装置とを備える。紫外線照射装置は、紫外線硬化樹脂を活性化するための第２の紫外線を発生するとともに、第２の紫外線を受けて光重合開始剤から放射される蛍光を受光し、さらに、紫外線照射装置で受光される蛍光の量に基づいて、紫外線硬化樹脂の硬化状態を判断する判断部を備える。
【発明の効果】
【００２１】
この発明によれば、紫外線を受けて光を放射する対象物に対して、当該光の受光対象となる範囲を確実に設定できる。
【発明を実施するための最良の形態】
【００２２】
この発明の実施の形態について、図面を参照しながら詳細に説明する。なお、図中の同一または相当部分については、同一符号を付してその説明は繰返さない。
【００２３】
［実施の形態１］
（紫外線照射システムの概略構成）
図１は、この発明の実施の形態１に従う紫外線照射装置を備える紫外線照射システム１の概略構成図である。
【００２４】
図１を参照して、紫外線照射システム１は、紫外線硬化樹脂１２の硬化状態を測定する測定装置１００と、紫外線硬化樹脂１２の硬化反応を促進するための硬化用紫外線５４を照射する光源装置２００とを備える。そして、紫外線照射システム１は、一例として、基材６の上に被着体８を配置し、紫外線硬化樹脂１２を用いて両者を接着するような製造ラインに配置される。なお以下では、基材６と、被着体８と、紫外線硬化樹脂１２とを一体として「ターゲット」とも称す。紫外線硬化樹脂１２は、モノマーおよびオリゴマーの少なくとも一方からなる主剤と、光重合開始剤とを含み、紫外線を受けて硬化反応を生じる。
【００２５】
光源装置２００は、硬化用紫外線５４を発生する照射ヘッド部２０４と、照射ヘッド部２０４を制御するための制御部２０２とからなる。
【００２６】
照射ヘッド部２０４は、硬化用紫外線５４を発生する紫外線光源を含み、紫外線光源は、代表的に紫外線ＬＥＤ（Light Emitting Diode）や紫外線ランプなどを含む。また、発生した硬化用紫外線５４が紫外線硬化樹脂１２に照射されるように、照射ヘッド部２０４は、たとえばターゲットの垂直上部に配置される。
【００２７】
制御部２０２は、照射ヘッド部２０４と電気的に接続され、ユーザや外部装置などからの外部指令に応答して、照射ヘッド部２０４における硬化用紫外線５４の発生を制御する。具体的には、制御部２０２は、硬化用紫外線５４の照射指令（図示しない）に応答して、硬化用紫外線５４の発生を開始するとともに、測定装置１００などからの硬化用紫外線５４の照射終了指示に応答して、硬化用紫外線５４の発生を停止する。
【００２８】
また、測定装置１００は硬化用紫外線５４の照射状態に同期して動作するので、制御部２０２は硬化用紫外線５４の照射状態信号、たとえば照射開始信号や照射終了信号を測定装置１００へ送出する。
【００２９】
一方、この発明の実施の形態１に従う測定装置１００は、蛍光測定ヘッド部１０４と、蛍光測定ヘッド部１０４を制御するための制御部１０２とを備える。蛍光測定ヘッド部１０４が本願発明の紫外線照射装置に相当し、制御部１０２が本願発明の判断部に相当する。
【００３０】
蛍光測定ヘッド部１０４は、制御部１０２から受けた制御指令に従って、対象物である紫外線硬化樹脂１２を活性化させるための励起紫外線５０を発生し、紫外線硬化樹脂１２に向けて照射するとともに、励起紫外線５０を受けて紫外線硬化樹脂１２から放射される蛍光５２を受光し、その蛍光量を示す信号を制御部１０２へ出力する。すなわち、蛍光測定ヘッド部１０４は、励起紫外線５０を発生する紫外線ＬＥＤなどの紫外線光源と、励起紫外線５０から放射される光の一例である蛍光５２を受光する受光部とを備える。
【００３１】
特に本実施の形態に従う蛍光測定ヘッド部１０４は、後述するように紫外線光源から紫外線硬化樹脂１２までの光学経路上の所定位置に配置された、光学系の代表例である可動レンズ機構を備える。この可動レンズ機構は、蛍光測定ヘッド部１０４の外周面に回転可動に配置されたズームリング１０４ｒと連結されており、ユーザがズームリング１０４ｒを回転することにより、当該可動レンズ機構を通過する紫外線光源からの励起紫外線５０の焦点位置が変更される。この焦点位置の変更に伴って、紫外線硬化樹脂１２に照射される励起紫外線５０の照射領域が拡大または縮小する。
【００３２】
さらに、本実施の形態に従う蛍光測定ヘッド部１０４は、可視領域の波長を含むガイド光５８を発生するガイド光光源を含む。このガイド光光源は、紫外線硬化樹脂１２に励起紫外線５０の照射領域に対応するようにガイド光５８を照射する。この紫外線硬化樹脂１２に照射されるガイド光５８は、紫外線硬化樹脂１２における硬化状態の測定対象範囲を確認および調整するための視覚的な表示として機能する。さらに、上述したように可動レンズ機構が駆動されて、紫外線硬化樹脂１２における励起紫外線５０の照射領域の拡大または縮小されると、この拡大または縮小に伴って紫外線硬化樹脂１２におけるガイド光５８の照射領域も変化する。すなわち、紫外線硬化樹脂１２における励起紫外線５０の照射領域に対応してガイド光５８の照射領域も変化するので、ユーザは、いずれの位置および照射領域に励起紫外線５０が照射されているのかを一見して把握することができる。
【００３３】
一方、制御部１０２は、蛍光測定ヘッド部１０４と電気的に接続され、光源装置２００の照射状態に応じて蛍光測定ヘッド部１０４における励起紫外線５０およびガイド光５８の発生を制御するとともに、蛍光測定ヘッド部１０４から出力される蛍光量を示す信号に基づいて、紫外線硬化樹脂１２の硬化状態を判断する。具体的には、制御部１０２は、制御部２０２から照射開始信号を受けると、励起紫外線５０の発生を開始するとともに、光重合開始剤から放射される蛍光量の測定を開始する。さらに、制御部１０２は、制御部２０２から照射終了信号を受けると、励起紫外線５０の発生を停止するとともに、光重合開始剤から放射される蛍光量の測定を停止する。
【００３４】
（紫外線硬化樹脂）
まず、本実施の形態に従う紫外線照射システム１において使用される紫外線硬化樹脂１２について説明する。紫外線硬化樹脂１２は、紫外線照射前においては主に液体である一方、紫外線照射後においては固体に変化（硬化）する。なお、本明細書において、「紫外線硬化樹脂」とは、その状態（紫外線照射前の液体状態、もしくは紫外線照射後における固体状態）にかかわらず総称的な意味で使用する。
【００３５】
紫外線照射前（硬化前）における紫外線硬化樹脂は、モノマーおよびオリゴマーの少なくとも一方と、光重合開始剤と、各種添加剤とを含む。モノマーおよびオリゴマーは主剤であり、紫外線を受けて光重合開始剤が発生するラジカルやカチオンにより重合反応（主鎖反応や架橋反応など）を生じる。そして、この重合反応に伴いモノマーおよびオリゴマーは、ポリマーに変化して分子量が極めて大きくなるとともに融点が低下する。この結果、紫外線硬化樹脂は液体から固体へ変化する。
【００３６】
モノマーおよびオリゴマーは、一例として、ポリエステルアクリレートや、ウレタンアクリレート、ポリブタジエンアクリレート、シリコンアクリレート、エポキシアクリレートなどからなる。モノマーは、単量体とも呼ばれ、重合反応によって重合体を合成する場合の原料となる状態である。一方、オリゴマーは、低重合体とも呼ばれ、重合度が２〜２０程度の比較的重合度の低い状態である。
【００３７】
光重合開始剤は、紫外線を受けてラジカルを発生するラジカル重合開始剤と、紫外線を受けてカチオンを発生するカチオン重合開始剤とに大別される。なお、ラジカル重合開始剤は、アクリル系のモノマーおよびオリゴマーに対して使用され、カチオン重合開始剤は、エポキシ系やビニールエーテル系のモノマーおよびオリゴマーに対して使用される。さらに、ラジカル重合開始剤およびカチオン重合開始剤の混合物からなる光重合開始剤を用いてもよい。
【００３８】
ラジカル重合開始剤は、ラジカルの発生過程に応じて、水素引抜型および分子内開裂型に大別される。水素引抜型は、一例として、ベンゾフェノンおよびオルソベンゾイル安息香酸メチルなどからなる。一方、分子内開裂型は、一例として、ベンゾインエーテルや、ベンジルジメチルケタール、α−ヒドロキシアルキルフェノン、α−アミノアルキルフェノン、オキソベンゾイル安息香酸メチル（ＯＢＭ）、４−ベンゾイル−４’−メチルジフェニルサルファイド（ＢＭＳ）、イソプロピルチオキサントン（ＩＰＴＸ）、ジエチルチオキサントン（ＤＥＴＸ）、エチル４−（ジエチルアミノ）ベンゾエート（ＤＡＢ）、２−ヒドロキシ−２−メチル−１−フェニル−プロパン−オン、ベンジルジメチルケタール（ＢＤＫ）、１，２αヒドロキシアルキルフェノンなどからなる。
【００３９】
また、カチオン重合開始剤は、一例として、ジフェニルヨードニウム塩などからなる。
なお、本明細書において、「光重合開始剤」とは、光重合反応を開始させる能力が残存しているものに限らず、当初の光重合開始剤が光重合反応に寄与することによって変化したり光重合反応の対象となるモノマーやオリゴマーが周囲に存在しなかったりすることにより、もはや光重合反応の開始に寄与しない物質となったものをも含む意味で使用する。ここで、光重合開始反応に寄与した後の光重合開始剤は、多くの場合、ほぼ当初の分子の大きさを保持したまま、あるいは２つまたはそれ以上の数の分子に分裂した状態で、ポリマーの末端に結合している。
【００４０】
上述したように、本願発明者らは、この紫外線硬化樹脂１２に含まれる光重合開始剤自体が紫外線照射に応じて、紫外線硬化樹脂１２の状態（たとえば、硬化度）と相関のある観測可能な蛍光を放射することを見出した。
【００４１】
より詳細には、本願発明者らは、代表的な紫外線硬化樹脂（合計２２種類）の各々に対して、波長３６５ｎｍをもつ励起紫外線５０を照射した場合に放射される光の波長について、スペクトルアナライザーを用いて調査した。この結果、いずれの紫外線硬化樹脂からも、励起紫外線５０の波長より長い波長をもつ光（蛍光）が放射されていることを確認した。
【００４２】
ここで、紫外線硬化樹脂に含まれる光重合開始剤は、以下のような性質を有する。
（１）重合反応を開始させるための活性種（ラジカルや酸など）を生成する能力（量子収率、モル吸光係数）が高い。
【００４３】
（２）反応性の高い活性種を生成する。
（３）活性種の生成能力を発揮するための励起エネルギーのスペクトル域が紫外線領域である。
【００４４】
すなわち、光重合開始剤は、紫外線を吸収しやすい分子構造のものが採用され、紫外線吸収したことによるエネルギー（電子）を他の分子に与えやすいものとなっている。
【００４５】
一方、紫外線硬化樹脂の主剤であるモノマーおよびオリゴマーは、キャリア（電子）が分子内をスムーズに動きにくい構造をとるため、蛍光をほとんど発しないと考えられる。
【００４６】
したがって、本願発明者らは、本質的に光重合開始材が紫外線を受けて蛍光を放射する性質を有する物質であると結論付けた。本実施の形態に従う紫外線照射システムは、この光重合開始材から放射される蛍光を測定し、測定結果から紫外線硬化樹脂１２の状態（たとえば、硬化度）を判断するものである。
【００４７】
（測定対象範囲）
図２は、この発明の実施の形態１に従うターゲットＴＧにおける測定対象範囲を説明するための外観図である。
【００４８】
図２を参照して、ターゲットＴＧにおける硬化状態の測定対象範囲は、ターゲットＴＧにおける励起紫外線５０の照射領域ＡＲ１と、ターゲットＴＧにおける受光素子の受光視野ＡＲ２との重複部分となる。本実施の形態においては、主として、ターゲットＴＧにおける励起紫外線５０の照射領域ＡＲ１がターゲットＴＧにおける受光素子の受光視野ＡＲ２と同一またはそれより小さい範囲内で変化する場合について例示する。すなわち、ターゲットＴＧにおける励起紫外線５０の照射領域ＡＲ１は、ズームリング１０４ｒと連結された可動レンズ機構によって拡大または縮小するが、本実施の形態では、励起紫外線５０の最大の照射領域ＡＲ１が受光素子の受光視野ＡＲ２以下である場合について例示する。
【００４９】
この場合には、紫外線硬化樹脂１２の塗布領域のうち、励起紫外線５０の照射領域ＡＲ１に相当する部分のみから蛍光５２が発生し、この発生した蛍光５２のすべては受光素子によって受光されるので、硬化状態の測定対象範囲は励起紫外線５０の照射領域ＡＲ１と実質的に同一となる。
【００５０】
そこで、蛍光測定ヘッド部１０４は、ガイド光５８を励起紫外線５０の照射領域ＡＲ１に対応するように照射することで、紫外線硬化樹脂１２における測定対象範囲を表示する。さらに、励起紫外線５０の照射領域ＡＲ１の変更に伴って、ガイド光５８の照射領域も変更する。すなわち、励起紫外線５０の照射領域ＡＲ１の拡大または縮小に伴って、ガイド光５８の照射領域も拡大または縮小する。
【００５１】
ユーザは、このようなガイド光５８の投射像を参照してターゲットＴＧと蛍光測定ヘッド部１０４との間の位置関係を調整することで、所望の位置および範囲に硬化状態の測定対象範囲を設定することができる。
【００５２】
（測定装置の構成）
図３は、この発明の実施の形態１に従う測定装置１００のより詳細な概略構成図である。
【００５３】
図３を参照して、制御部１０２は、ＣＰＵ（Central Processing Unit）４０と、表示部４２と、操作部４４と、記憶部４６と、インターフェイス部（Ｉ／Ｆ）４８とからなる。
【００５４】
ＣＰＵ４０は、測定装置１００の全体処理を司る制御装置であって、記憶部４６に格納されるプログラムを読込んで実行することで、以下に示す処理を実現する。具体的には、ＣＰＵ４０は、インターフェイス部４８を介して制御部２０２（図１）から与えられる照射状態信号（照射開始信号や照射終了信号）に応答して、蛍光測定ヘッド部１０４へ制御指令を与える。そして、ＣＰＵ４０は、蛍光測定ヘッド部１０４からの蛍光量を示す信号に基づいて、光重合開始剤から放射される蛍光量を測定する。このように測定された蛍光量の時間的挙動に基づいて、ＣＰＵ４０は、紫外線硬化樹脂１２の硬化状態を判断する。そして、紫外線硬化樹脂１２における硬化反応が完了したと判断されると、ＣＰＵ４０は、制御部２０２（図１）に照射終了指示を与えて硬化用紫外線５４（図１）の照射を停止する。さらに、ＣＰＵ４０は、測定された蛍光量の時間的挙動を記憶部４６に格納するとともに、紫外線硬化樹脂１２の硬化状態を表示部４２上に表示したり、インターフェイス部４８を介して外部出力したりする。
【００５５】
また、ＣＰＵ４０は、操作部４４を介して与えられるユーザなどからのガイド光照射指令に応答して、ガイド光５８の発生を開始するとともに、励起紫外線５０の発生を停止またはその強度を低減するための制御指令を蛍光測定ヘッド部１０４へ与える。
【００５６】
表示部４２は、ユーザに対して硬化反応に係る情報を表示するための表示装置であり、一例として、ＬＣＤ（Liquid Crystal Display）やＣＲＴ（Cathode-Ray Tube）などのディスプレイを含んで構成される。
【００５７】
操作部４４は、ユーザからの操作指令を受付ける指令入力装置であり、一例として、スイッチ、タッチパネルもしくはマウスなどから構成され、ユーザ操作に応じた操作指令をＣＰＵ４０へ出力する。
【００５８】
記憶部４６は、ＣＰＵ４０で実行されるプログラムや過去の時間的挙動を不揮発的に格納可能な装置であり、一例として、ハードディスクやフラッシュメモリなどで構成される。
【００５９】
インターフェイス部４８は、外部装置とＣＰＵ４０との間の通信を仲介するための装置であり、一例として、デジタルアナログ変換部（ＤＡＣ）、ＵＳＢ（Universal Serial Bus）もしくはイーサネット（登録商標）などで構成される。
【００６０】
一方、蛍光測定ヘッド部１０４は、投光駆動回路２０と、投光素子２２と、ダイクロイックミラー２４，６６と、光フィルタ２６と、ガイド光光源３８と、受光素子２８と、ハイパスフィルタ回路（ＨＰＦ：High Pass Filter）３０と、増幅回路３２と、サンプルホールド回路（Ｓ／Ｈ：Sample and Hold）３４と、アナログデジタル変換部（ＡＤＣ）３６とからなる。
【００６１】
投光駆動回路２０は、ＣＰＵ４０からの制御指令に応じて、投光素子２２で励起紫外線５０を発生させるための駆動電力を供給する。励起紫外線５０は、光重合開始剤から放射される蛍光量をより正確に測定できるように、その強度が周期的に変化することが望ましい。そこで、投光駆動回路２０は、ＣＰＵ４０から照射を指示する制御指令が与えられる期間において、所定周期で変化する駆動電力を投光素子２２へ供給する。
【００６２】
図４は、この発明の実施の形態１に従う蛍光測定ヘッド部１０４における光学的な配置図である。
【００６３】
図３および図４を参照して、蛍光測定ヘッド部１０４は、コリメートレンズ６０，６４と、集束レンズ６２，６８と、可動レンズ機構７２とをさらに備える。
【００６４】
投光素子２２と、コリメートレンズ６０と、ダイクロイックミラー６６と、可動レンズ機構７２と、ダイクロイックミラー２４と、集束レンズ６８と、対象となる紫外線硬化樹脂１２（図１）を含むターゲットＴＧとは、記載順の通り同一の光軸上に配置される。また、ダイクロイックミラー２４と、光フィルタ２６と、集束レンズ６２と、受光素子２８とは、記載順の通り同一の光軸上に配置される。また、ガイド光光源３８と、コリメートレンズ６４と、ダイクロイックミラー６６とは、記載順の通り同一の光軸上に配置される。
【００６５】
投光駆動回路２０から供給される駆動電力を受けて投光素子２２が発生する励起紫外線５０は、コリメートレンズ６０、ダイクロイックミラー６６、可動レンズ機構７２、ダイクロイックミラー２４および集束レンズ６８の順に通過して所定の照射位置に集束する。
【００６６】
可動レンズ機構７２は、１または複数の可動レンズ７４を含んで構成され、ズームリング１０４ｒ（図１）の回転駆動によって通過する励起紫外線５０の焦点位置（結像位置）を変更する。すなわち、可動レンズ機構７２を通過する励起紫外線５０の焦点位置がターゲットＴＧに近接している場合には、励起紫外線５０は相対的に小さなビーム径でターゲットＴＧに入射し、一方、焦点位置がターゲットＴＧから離れている場合には、励起紫外線５０は相対的に大きなビーム径でターゲットＴＧに入射する。
【００６７】
この励起紫外線５０を受けて、紫外線硬化樹脂１２（図１）では、その硬化状態に応じた蛍光５２が発生する。発生した蛍光５２の一部は、励起紫外線５０の伝播経路と実質的に同一の伝播経路を励起紫外線５０とは逆方向に伝播し、集束レンズ６８を通過してダイクロイックミラー２４に入射する。そして、ダイクロイックミラー２４は、この蛍光５２の伝搬方向を紙面下方向に変化させる。すると、蛍光５２は、光フィルタ２６および集束レンズ６２を通過して受光素子２８へ入射する。すなわち、ダイクロイックミラー６６は、投光素子２２からの励起紫外線５０と、ターゲットＴＧから放射される蛍光のうち励起紫外線５０の伝播経路と同一の伝播経路を励起紫外線５０と逆方向に伝播する蛍光５２とを分離する。このように、ダイクロイックミラー６６が同一の光学経路上を伝播する励起紫外線５０と蛍光５２とを分離することによって、微弱な強度を有する蛍光５２を受光素子２８によって確実に検出できる。
【００６８】
一方、ガイド光光源３８が発生するガイド光５８は、コリメートレンズ６４を通過してダイクロイックミラー６６に入射する。そして、ダイクロイックミラー６６がガイド光５８の伝搬方向を紙面左方向に変化させるため、ガイド光５８は励起紫外線５０と同一の光学経路を同方向に伝搬してターゲットＴＧへ照射される。すなわち、ダイクロイックミラー６６は、紫外線光源である投光素子２２と可動レンズ機構７２との間に光学経路上の所定位置に配置され、ガイド光光源３８が発生するガイド光５８を注入する光注入部として機能する。このガイド光５８は、励起紫外線５０の照射領域と略一致するようにそのビーム径の大きさが定められており、ターゲットＴＧに照射されることで励起紫外線５０の照射領域に対応する位置に投射される。
【００６９】
コリメートレンズ６４は、ガイド光光源３８が発生するガイド光５８を平行光線に変換するための光学系である。同時に、コリメートレンズ６４は、紫外線硬化樹脂１２に向けて照射されるガイド光５８のビームプロファイル（ビーム断面における強度特性）の調整機構としても機能する。すなわち、ガイド光５８は、ユーザが紫外線硬化樹脂１２における硬化状態の測定対象範囲を容易に確認できるように、そのビームプロファイルを所定の特性に調整する。
【００７０】
投光素子２２は、励起紫外線５０を発生する紫外線光源であって、代表的に紫外線ＬＥＤからなる。なお、投光素子２２で発生する励起紫外線５０の主発光ピークは３６５ｎｍが好ましい。
【００７１】
コリメートレンズ６０は、投光素子２２が発生する励起紫外線５０を平行光線に変換するための光学系であり、コリメートレンズ６０を通過後の励起紫外線５０は、平行光線となってダイクロイックミラー６６に入射する。
【００７２】
ダイクロイックミラー６６は、ビームスプリッタの一種であり、入射する光の波長に依存する反射・透過特性を有する光フィルタである。具体的には、ダイクロイックミラー６６は、励起紫外線５０の波長帯域（紫外領域）において相対的に高い透過率をもち、かつガイド光５８の波長帯域（可視領域）において相対的に高い反射率をもつように光学設計される。このような光学設計により、ダイクロイックミラー６６を透過する励起紫外線５０、およびダイクロイックミラー６６で反射されるガイド光５８のいずれについても損失を低減することができる。なお、光の波長に基づいて光合成／光分離を行なうダイクロイックミラーに代えて、光の偏向方向に基づいて光合成／光分離を行なうポラライズドフィルタを用いてもよい。
【００７３】
光フィルタ２６は、投光素子２２から放射される励起紫外線５０が直接的に受光素子２８へ入射することを抑制するために配置されたものであり、紫外領域の光を減衰させる一方で可視領域の光を透過するように構成される。一例として、光フィルタ２６は、波長が４１０ｎｍ以上の光を透過する誘電体多層膜のフィルタからなる。
【００７４】
ダイクロイックミラー２４は、ダイクロイックミラー６６と同様に、ビームスプリッタの一種であって、入射する光の波長に依存する反射・透過特性を有する光フィルタである。ダイクロイックミラー２４は、紙面左方向に伝播する励起紫外線５０およびガイド光５８を透過するとともに、紙面右方向に伝播する蛍光５２を反射して伝播方向を変化させる。
【００７５】
集束レンズ６２は、紫外線硬化樹脂１２で生成された蛍光５２を受光素子２８に集束するための光学系である。
【００７６】
受光素子２８は、一例としてフォトダイオードからなり、ダイクロイックミラー２４、光フィルタ２６および集束レンズ６２を通過して入射する蛍光の強度に応じた電気信号を発生する。
【００７７】
集束レンズ６８は、励起紫外線５０およびガイド光５８を所定の照射位置に集束する光学系である。同時に、集束レンズ６８は、紫外線硬化樹脂１２で生成された蛍光５２を平行光線に変換するコリメートレンズとしても機能する。すなわち、集束レンズ６８には波長帯域の互いに異なる励起紫外線５０、蛍光５２およびガイド光５８が通過するので、集束レンズ６８は色収差の小さいことが望ましい。
【００７８】
（蛍光量の測定方法）
次に、図３を参照して、紫外線硬化樹脂１２から放射される蛍光量の測定方法とともに、ハイパスフィルタ回路（ＨＰＦ）３０、増幅回路３２、サンプルホールド回路（Ｓ／Ｈ）３４、およびアナログデジタル変換部（ＡＤＣ）３６について説明する。
【００７９】
本実施の形態に従う紫外線照射システム１では、図１に示すように、紫外線硬化樹脂１２に対して光源装置２００から硬化用紫外線５４が放射される。そのため、紫外線硬化樹脂１２に含まれる光重合開始剤で発生する蛍光は、励起紫外線５０を受けて生じる蛍光と、硬化用紫外線５４を受けて生じる蛍光とが含まれると考えられる。そこで、本実施の形態では、それぞれの紫外線を周波数領域上で分離する。すなわち、主として直流（ＤＣ）成分の強度を有する硬化用紫外線５４と、その強度に交流成分（一例として、パルス状変化）を含む励起紫外線５０とを照射し、この照射によって測定される蛍光量を示す信号のうち、励起紫外線５０の強度変化周期に対応する周期成分を抽出して、励起紫外線５０によって生じた蛍光量として測定する。
【００８０】
ハイパスフィルタ回路３０は、受光素子２８で検出される蛍光量のうち、周期成分（励起紫外線５０に起因する成分）を抽出するためのフィルタであり、励起紫外線５０の強度変化周期に対応する周期成分より高周波の成分を通過させる。
【００８１】
増幅回路３２は、ＨＰＦ３０からの出力信号を所定の増幅率（電流電圧変換率）で増幅してサンプルホールド回路３４へ出力する。そして、サンプルホールド回路３４は、投光素子２２から照射される励起紫外線５０のパルス周期に同期してＨＰＦ３０からの出力信号をサンプリングし、サンプリングした信号値を次回のサンプリング時まで保持する。これにより、各パルスの最大振幅値に応じた値がサンプルホールド回路３４から出力される。このサンプルホールド回路３４から出力される信号（アナログの電圧信号）はアナログデジタル変換部３６（図３）によってデジタル値に変換されて、蛍光量の測定値としてＣＰＵ４０へ出力される。
【００８２】
上述した図３および図４と本願発明との対応関係については、蛍光測定ヘッド部１０４が「紫外線照射装置」に相当し、投光素子２２が「紫外線光源」に相当し、受光素子２８が「受光部」に相当し、可動レンズ機構７２が「光学系」に相当し、ガイド光光源３８が「ガイド光光源」に相当し、ダイクロイックミラー６６が「光注入部」に相当し、光源装置２００が「光源装置」に相当し、制御部１０２が「判断部」に相当し、硬化用紫外線５４が「第１の紫外線」に相当し、励起紫外線５０が「第２の紫外線」に相当する。
【００８３】
（ガイド光のビームプロファイル）
ガイド光５８のビームプロファイルは、紫外線硬化樹脂１２における励起紫外線５０の照射領域と実質的に同一、すなわちガイド光のビーム径と励起紫外線５０のビーム径とが互いに同一であるように構成してもよいが、より視認性を高めるために他のビームプロファイルを採用してもよい。
【００８４】
図５は、この発明の実施の形態１に従うガイド光５８のビームプロファイルの一例を示す図である。
【００８５】
図５（ａ）〜図５（ｄ）は、それぞれガイド光のビームプロファイルの第１例〜第４例を示す。
【００８６】
図５（ａ）は、励起紫外線５０の照射領域ＡＲ１の外径に比較して、ガイド光５８による投射像ＩＭＧの外径がより大きな場合を示す。このようなビームプロファイルをもつガイド光５８を採用することで、ユーザは、ガイド光５８が照射されるスポットを視認した上で、その内側の領域が硬化状態の測定対象範囲であることを確認できる。このようなガイド光５８は、硬化状態の測定対象範囲が相対的に小さい場合などに有効である。
【００８７】
これに対して、図５（ｂ）は、励起紫外線５０の照射領域ＡＲ１の外径に比較して、ガイド光５８による投射像ＩＭＧの外径がより小さい場合を示す。このようなビームプロファイルをもつガイド光５８を採用することで、ユーザは、ガイド光５８が照射されるスポットを視認した上で、その外側を含む領域が硬化状態の測定対象範囲であることを確認できる。
【００８８】
図５（ｃ）は、ガイド光５８が同心円状のビームプロファイルを有する場合を示す。特に、同心円状の投射像ＩＭＧの内径と励起紫外線５０の照射領域ＡＲ１の外径とを略一致させることがより好ましい。このようなビームプロファイルをもつガイド光５８を採用することで、ユーザは、ガイド光が照射されるスポットを視認した上で、その内側の領域に励起紫外線５０が照射されることを確認できる。このようなガイド光５８は、硬化状態の測定対象範囲が相対的に小さい場合などに有効である。
【００８９】
なお、図５（ａ）〜図５（ｃ）に示すガイド光のビームプロファイルは、ガイド光光源３８（図４）によって発生されたガイド光５８が通過するコリメートレンズ６４（図４）の光学特性（屈折率や焦点距離）などを適宜選択することで実現できる。
【００９０】
一方、図５（ｄ）は、その光軸を中心として複数の線が放射状に配置されたビームプロファイルを有する場合を示し、特に２本の線が直交した「十字形状」のビームプロファイルを示す。なお、３本以上の線がガイド光の光軸で交差するような形状であってもよい。このようなビームプロファイルをもつガイド光５８を採用することで、ユーザは、ガイド光５８の光軸、すなわち測定対象範囲の中心位置を確認できる。このようなガイド光５８は、ターゲットＴＧの微小な照射領域を測定対象範囲に設定する必要がある場合などに有効である。
【００９１】
図６は、図５（ｄ）に示すビームプロファイルをもつガイド光５８を発生するための構成を示す概略図である。なお、図６は、実施の形態１における蛍光測定ヘッド部１０４における光学的な配置（図４）に適用した場合の構成を例示する。
【００９２】
図６を参照して、コリメートレンズ６４とダイクロイックミラー６６との間の光学経路上にマスク部８４を設けることで、任意のビームプロファイルをもつガイド光５８を生成できる。すなわち、マスク部８４に所望のビームプロファイルに相当するスリットを予め形成することで、スリット以外の領域に入射するガイド光は遮断され、当該スリットに対応したビームプロファイルをもつガイド光５８が生成される。
【００９３】
以上のように、ガイド光５８のビームプロファイルを励起紫外線５０のビームプロファイルと異なるようにしてもよい。
【００９４】
（ガイド光の波長）
ガイド光は、ユーザがターゲットＴＧにおける測定対象範囲を確認および調整するための表示として機能するために、可視領域の波長を含む必要がある。したがって、原則的にガイド光の波長範囲は可視領域内であれば任意に選択可能であるが、ユーザが装着する保護メガネの特性や、紫外線硬化樹脂１２に含まれる光重合開始剤の反応特性などを考慮して適切な波長を選択することが好ましい。
【００９５】
通常、紫外線照射装置を操作するユーザは、紫外線から目を保護するために保護メガネを装着する。このような保護メガネは、紫外線に相当する波長帯域の光を遮断する一種の光フィルタである。
【００９６】
図７は、保護メガネを装着した状態での視認可能特性の一例を示す図である。
図７を参照して、多くの保護メガネの波長遮断特性は比較的緩やかである。そのため、保護メガネが遮断する波長には紫外領域に加えて可視領域の一部が含まれる。したがって、このような保護メガネを装着したユーザは、可視領域の紫外線領域側、すなわち紫色や青色を視認し難いことが考えられる。
【００９７】
そこで、本実施の形態に従うガイド光としては、励起紫外線５０の波長範囲（紫外線波長）から所定の波長以上だけ長波長側に離れた波長範囲に含まれる波長（色）が用いられる。具体的には、約４５０ｎｍ〜７００ｎｍの波長範囲に含まれる色、たとえば「緑色」、「黄色」、「赤色」などが好ましい。
【００９８】
また、紫外線硬化樹脂１２に含まれる光重合開始剤の種類によっては、可視領域の短波長側、たとえば約４００ｎｍ付近の波長の可視光によって蛍光を放射するものもある。このような蛍光は蛍光量測定の誤差要因となるので、可能な限り発生を抑制する必要がある。そのため、この観点からも、ガイド光５８の波長範囲は、励起紫外線５０の波長範囲（紫外線波長）から所定の波長以上だけ長波長側に離れていることが好ましい。
【００９９】
この発明の実施の形態１によれば、投光素子２２から対象物であるターゲットＴＧへ照射される励起紫外線５０の照射領域に対応するように、ガイド光５８がターゲットＴＧへ照射される。ユーザは、このガイド光５８の投射像を参照することで、ターゲットＴＧにおける測定対象範囲を把握することができる。そのため、ユーザは、このガイド光５８の投射像に基づいて、蛍光測定ヘッド部１０４とターゲットＴＧとの間の位置関係を調整することで、測定対象範囲を確実に所望の範囲に設定できる。
【０１００】
［実施の形態２］
上述の実施の形態１では、ターゲットＴＧにおける励起紫外線５０の照射領域ＡＲ１を変更可能な構成について例示したが、本実施の形態では、ターゲットＴＧにおける受光素子の受光視野ＡＲ２を変更可能な構成について例示する。
【０１０１】
本実施の形態に従う紫外線照射装置を備える紫外線照射システムの概略構成については、図１と同様であるので詳細な説明は繰返さない。
【０１０２】
図８は、この発明の実施の形態２に従うターゲットＴＧにおける測定対象範囲を説明するための外観図である。
【０１０３】
本実施の形態に従う蛍光測定ヘッド部１０４Ａは、ターゲットＴＧから受光部までの光学経路上の所定位置に配置された可動レンズ機構を含む。この可動レンズ機構は、蛍光測定ヘッド部１０４Ａの外周面に回転可動に配置されたズームリング１０４ｒと連結されており、ユーザがズームリング１０４ｒを回転することにより、当該可動レンズ機構を通過する紫外線硬化樹脂１２からの蛍光５２の焦点位置が変更される。この蛍光５２の焦点位置の変更に伴って、図８に示すようにターゲットＴＧにおける受光素子の受光視野ＡＲ２が拡大または縮小する。
【０１０４】
ここで、ターゲットＴＧにおける受光素子の受光視野ＡＲ２がターゲットＴＧにおける励起紫外線５０の照射領域ＡＲ１と同一またはそれより小さい範囲内で変化する場合には、励起紫外線５０の照射領域ＡＲ１に含まれる紫外線硬化樹脂１２から発生する蛍光のうち、ターゲットＴＧにおける受光素子の受光視野ＡＲ２に対応する領域から発生する蛍光５２のみが受光素子で受光されるので、硬化状態の測定対象範囲は受光素子の受光視野ＡＲ２と実質的に同一となる。
【０１０５】
そこで、本実施の形態に従う蛍光測定ヘッド部１０４Ａは、ガイド光５８を受光素子の受光視野ＡＲ２に対応するように照射することで、紫外線硬化樹脂１２における測定対象範囲を表示する。さらに、受光素子の受光視野ＡＲ２の変更に伴って、ガイド光５８の照射領域も変更される。すなわち、受光素子の受光視野ＡＲ２の拡大または縮小に伴って、ガイド光５８の照射領域も拡大または縮小する。
【０１０６】
ユーザは、このようなガイド光５８の投射像を参照してターゲットＴＧと蛍光測定ヘッド部１０４Ａとの間の位置関係を調整することで、所望の位置および範囲に硬化状態の測定対象範囲を設定することができる。
【０１０７】
本実施の形態に従う蛍光測定ヘッド部１０４Ａを含む測定装置の概略構成については、図３と同様であるので詳細な説明は繰返さない。
【０１０８】
図９は、この発明の実施の形態２に従う蛍光測定ヘッド部１０４Ａにおける光学的な配置図である。
【０１０９】
図９を参照して、本実施の形態に従う蛍光測定ヘッド部１０４Ａは、図４に示す実施の形態１に従う蛍光測定ヘッド部１０４における一部の構成要素の配置位置を変更したものである。具体的には、励起紫外線５０の発生に係る投光素子２２およびコリメートレンズ６０と、蛍光５２の受光に係る受光素子２８、集束レンズ６２および光フィルタ２６との配置を相互に入れ替えたものに相当する。
【０１１０】
蛍光測定ヘッド部１０４Ａでは、受光素子２８と、集束レンズ６２と、光フィルタ２６と、ダイクロイックミラー６６と、可動レンズ機構７２と、ダイクロイックミラー２４と、集束レンズ６８と、対象となる紫外線硬化樹脂１２を含むターゲットＴＧとは、記載順の通り同一の光軸上に配置される。また、投光素子２２と、コリメートレンズ６０と、ダイクロイックミラー２４とは、記載順の通り同一の光軸上に配置される。また、ガイド光光源３８と、コリメートレンズ６４と、ダイクロイックミラー６６とは、記載順の通り同一の光軸上に配置される。
【０１１１】
投光駆動回路２０（図３）から供給される駆動電力を受けて投光素子２２が発生する励起紫外線５０は、コリメートレンズ６０、ダイクロイックミラー２４および集束レンズ６８を順に通過して所定の照射位置に集束する。この励起紫外線５０を受けて、紫外線硬化樹脂１２ではその硬化状態に応じた蛍光５２が発生する。発生した蛍光５２の一部は、励起紫外線５０の伝播経路と同一の伝播経路を励起紫外線５０とは逆方向に伝播し、集束レンズ６８を介してダイクロイックミラー２４に入射する。そして、ダイクロイックミラー２４は、この蛍光５２を透過する。すると、この蛍光５２は、可動レンズ機構７２、ダイクロイックミラー６６、光フィルタ２６、および集束レンズ６２の順に通過して受光素子２８に入射する。
【０１１２】
一方、ガイド光光源３８が発生するガイド光５８は、コリメートレンズ６４を通過してダイクロイックミラー６６に入射する。そして、ダイクロイックミラー６６がガイド光５８の伝搬方向を紙面左方向に変化させるため、ガイド光５８は蛍光５２と同一の光学経路を逆方向に伝搬してターゲットＴＧへ照射される。すなわち、ダイクロイックミラー６６は、可動レンズ機構７２から受光素子２８との間の光学経路上の所定位置に配置され、ガイド光光源３８が発生するガイド光５８を注入する光注入部として機能する。このガイド光５８は、受光素子２８の受光視野と略一致するようにそのビーム径の大きさが定められており、ターゲットＴＧに照射されることで受光素子２８の受光視野ＡＲ２に対応する位置に投射される。
【０１１３】
さらに、ガイド光５８は、受光素子２８で受光される蛍光５２と共通の可動レンズ機構７２（可動レンズ７４）を通過するので、可動レンズ機構７２による受光素子２８の受光視野の拡大または縮小に伴って、ガイド光５８の照射領域も変化する。すなわち、紫外線硬化樹脂１２における受光素子２８の受光視野に対応してガイド光５８の照射領域も変化するので、ユーザは、いずれの位置および領域が受光素子２８の受光視野ＡＲ２（測定対象範囲）であるのかを一見して把握することができる。
【０１１４】
蛍光測定ヘッド部１０４Ａのその他の部位については、上述した蛍光測定ヘッド部１０４と同様であるので、詳細な説明は繰返さない。
【０１１５】
上述した図９と本願発明との対応関係については、蛍光測定ヘッド部１０４Ａが「紫外線照射装置」に相当し、投光素子２２が「紫外線光源」に相当し、受光素子２８が「受光部」に相当し、可動レンズ機構７２が「光学系」に相当し、ガイド光光源３８が「ガイド光光源」に相当し、ダイクロイックミラー６６が「光注入部」に相当し、硬化用紫外線５４が「第１の紫外線」に相当し、励起紫外線５０が「第２の紫外線」に相当する。
【０１１６】
また、上述したガイド光５８のビームプロファイル（図５，図６）やガイド光５８の波長（図７）などについても同様に適用できるので、詳細な説明は繰返さない。
【０１１７】
この発明の実施の形態２によれば、ターゲットＴＧ（紫外線硬化樹脂１２）における受光素子２８の受光視野に対応するように、ガイド光５８がターゲットＴＧへ照射される。ユーザは、このガイド光５８の投射像を参照することで、ターゲットＴＧにおける測定対象範囲を把握することができる。そのため、ユーザは、このガイド光５８の投射像に基づいて、蛍光測定ヘッド部１０４とターゲットＴＧとの間の位置関係を調整することで、測定対象範囲を確実に所望の範囲に設定できる。
【０１１８】
［実施の形態３］
上述の実施の形態１および２では、ターゲットＴＧにおける励起紫外線５０の照射領域ＡＲ１、およびターゲットＴＧにおける受光素子２８の受光視野ＡＲ２のいずれか一方が変更可能な構成について例示したが、本実施の形態では、照射領域ＡＲ１および受光視野ＡＲ２のいずれもが変更可能な構成について例示する。
【０１１９】
本実施の形態に従う紫外線照射装置を備える紫外線照射システムの概略構成については、図１と同様であるので詳細な説明は繰返さない。
【０１２０】
図１０は、この発明の実施の形態３に従うターゲットＴＧにおける測定対象範囲を説明するための外観図である。
【０１２１】
本実施の形態に従う蛍光測定ヘッド部１０４Ｂは、紫外線光源である投光素子２２からターゲットＴＧまでの光学経路上の所定位置に配置された第１可動レンズ機構と、ターゲットＴＧから受光部までの光学経路上の所定位置に配置された第２可動レンズ機構とを含む。この第１可動レンズ機構は、蛍光測定ヘッド部１０４Ｂの外周面に回転可能に配置された第１ズームリング１０４ｒａと連結されており、ユーザが第１ズームリング１０４ｒａを回転することにより、当該可動レンズ機構を通過する紫外線光源からの励起紫外線５０の焦点位置が変更される。この励起紫外線５０の焦点位置の変更に伴って、図１０に示すようにターゲットＴＧにおける励起紫外線５０の照射領域ＡＲ１が拡大または縮小する。また、第２可動レンズ機構は、蛍光測定ヘッド部１０４Ｂの外周面に回転可能に配置された第２ズームリング１０４ｒｂと連結されており、ユーザが第２ズームリング１０４ｒｂを回転することにより、当該第２可動レンズ機構を通過する紫外線硬化樹脂１２からの蛍光５２の焦点位置が変更される。この蛍光５２の焦点位置の変更に伴って、図１０に示すようにターゲットＴＧにおける受光素子の受光視野ＡＲ２が拡大または縮小する。
【０１２２】
上述したように、ターゲットＴＧにおける硬化状態の測定対象範囲は、ターゲットＴＧにおける励起紫外線５０の照射領域ＡＲ１と、ターゲットＴＧにおける受光素子２８の受光視野ＡＲ２との重複部分となる。そこで、本実施の形態に従う蛍光測定ヘッド部１０４Ｂは、第１ガイド光５８ａを励起紫外線５０の照射領域ＡＲ１に対応するように照射するとともに、第２ガイド光５８ｂを受光素子２８の受光視野ＡＲ２に対応するように照射する。
【０１２３】
ユーザは、これらのガイド光５８ａおよび５８ｂの重複部分を参照しながら、ターゲットＴＧと蛍光測定ヘッド部１０４Ｂとの間の位置関係を調整することで、所望の位置および範囲に硬化状態の測定対象範囲を設定することができる。
【０１２４】
本実施の形態に従う蛍光測定ヘッド部１０４Ｂを含む測定装置の概略構成については、図３と同様であるので詳細な説明は繰返さない。
【０１２５】
図１１は、この発明の実施の形態３に従う蛍光測定ヘッド部１０４Ｂにおける光学的な配置図である。
【０１２６】
図１１を参照して、本実施の形態に従う蛍光測定ヘッド部１０４Ｂは、励起紫外線５０の発生に係る構成として、投光素子２２と、コリメートレンズ６０と、ダイクロイックミラー６６ａと、第１可動レンズ機構７２ａとを備えるとともに、蛍光５２の受光に係る構成として、受光素子２８と、集束レンズ６２と、光フィルタ２６と、ダイクロイックミラー６６ｂと、第２可動レンズ機構７２ｂとを備える。さらに、蛍光測定ヘッド部１０４Ｂは、第１ガイド光５８ａの発生にかかる機構として、ガイド光光源３８ａと、コリメートレンズ６４ａとを備え、第２ガイド光５８ｂの発生にかかる機構として、ガイド光光源３８ｂと、コリメートレンズ６４ｂとを備える。また、蛍光測定ヘッド部１０４Ｂは、投光素子２２からの励起紫外線５０と紫外線硬化樹脂１２からの蛍光５２とを分離するためのダイクロイックミラー２４をさらに備える。
【０１２７】
励起紫外線５０の発生に係る、投光素子２２と、コリメートレンズ６０と、ダイクロイックミラー６６ａと、第１可動レンズ機構７２ａとについては、実施の形態１に従う蛍光測定ヘッド部１０４（図４）における投光素子２２と、コリメートレンズ６０と、ダイクロイックミラー６６と、可動レンズ機構７２と同様の機能および動作である。すなわち、投光素子２２が発生する励起紫外線５０は、コリメートレンズ６０、ダイクロイックミラー６６ａ、第１可動レンズ機構７２ａ、ダイクロイックミラー２４、および集束レンズ６８の順に通過して所定の照射位置に集束する。なお、第１可動レンズ機構７２ａは、第１ズームリング１０４ｒａ（図１０）の回転駆動に応じて、通過する励起紫外線５０の焦点位置（結像位置）を変更する。
【０１２８】
また、第１ガイド光５８ａの発生に係る、第１ガイド光光源３８ａおよびコリメートレンズ６４ａについては、実施の形態１に従う蛍光測定ヘッド部１０４（図４）におけるガイド光光源３８およびコリメートレンズ６４と同様の機能および動作である。すなわち、第１ガイド光光源３８ａが発生する第１ガイド光５８ａは、コリメートレンズ６４ａを通過してダイクロイックミラー６６ａに入射する。そして、ダイクロイックミラー６６ａが第１ガイド光５８ａの伝搬方向を紙面上方向に変化させるため、第１ガイド光５８ａは励起紫外線５０と同一の光学経路を同方向に伝搬してターゲットＴＧへ照射される。
【０１２９】
この第１ガイド光５８ａは、励起紫外線５０の照射領域と略一致するようにそのビーム径の大きさが定められており、ターゲットＴＧに照射されることで励起紫外線５０の照射領域に対応する位置に投射される。また、第１ガイド光５８ａは、励起紫外線５０と共通の第１可動レンズ機構７２ａ（可動レンズ７４ａ）を通過するので、第１可動レンズ機構７２ａによる励起紫外線５０の照射領域の拡大または縮小に伴って、第１ガイド光５８ａの照射領域も変化する。すなわち、ターゲットＴＧにおける励起紫外線５０の照射領域に対応して第１ガイド光５８ａの照射領域も変化するので、ユーザは、いずれの位置および領域に励起紫外線５０が照射されるのかを一見して把握することができる。
【０１３０】
蛍光５２の受光に係る、受光素子２８と、集束レンズ６２と、光フィルタ２６と、ダイクロイックミラー６６ｂと、第２可動レンズ機構７２ｂとについては、実施の形態２に従う蛍光測定ヘッド部１０４Ａ（図４）における受光素子２８と、集束レンズ６２と、光フィルタ２６と、ダイクロイックミラー６６と、可動レンズ機構７２と同様の機能および動作である。
【０１３１】
すなわち、励起紫外線５０を受けて紫外線硬化樹脂１２で発生した蛍光のうち、励起紫外線５０の伝播経路と同一の伝播経路を励起紫外線５０とは逆方向に伝播し、集束レンズ６８を介してダイクロイックミラー２４に入射した蛍光５２は、第２可動レンズ機構７２ｂ、ダイクロイックミラー６６ｂ、光フィルタ２６、および集束レンズ６２の順に通過して受光素子２８に入射する。
【０１３２】
一方、第２ガイド光光源３８ｂが発生する第２ガイド光５８ｂは、コリメートレンズ６４ｂを通過してダイクロイックミラー６６ｂに入射する。そして、ダイクロイックミラー６６ｂが第２ガイド光５８ｂの伝搬方向を紙面左方向に変化させるため、第２ガイド光５８ｂは蛍光５２と同一の光学経路を逆方向に伝搬してターゲットＴＧへ照射される。この第２ガイド光５８ｂは、受光素子２８の受光視野と略一致するようにそのビーム径の大きさが定められており、ターゲットＴＧに照射されることで受光素子２８の受光視野ＡＲ２に対応する位置に投射される。
【０１３３】
さらに、第２ガイド光５８ｂは、受光素子２８で受光される蛍光５２と共通の第２可動レンズ機構７２ｂ（可動レンズ７４ｂ）を通過するので、第２可動レンズ機構７２ｂによる受光素子２８の受光視野の拡大または縮小に伴って、第２ガイド光５８ｂの照射領域も変化する。すなわち、紫外線硬化樹脂１２における受光素子２８の受光視野に対応して第２ガイド光５８ｂの照射領域が変化するので、ユーザは、いずれの位置および領域が受光素子２８の受光視野ＡＲ２（測定対象範囲）であるのかを一見して把握することができる。
【０１３４】
蛍光測定ヘッド部１０４Ｂのその他の部位については、上述した蛍光測定ヘッド部１０４および１０４Ａと同様であるので、詳細な説明は繰返さない。
【０１３５】
上述した図１１と本願発明との対応関係については、蛍光測定ヘッド部１０４Ｂが「紫外線照射装置」に相当し、投光素子２２が「紫外線光源」に相当し、受光素子２８が「受光部」に相当し、可動レンズ機構７２ａおよび７２ｂが「光学系」に相当し、第１可動レンズ機構７２ａが「第１の可動レンズ機構」に相当し、第２可動レンズ機構７２ｂが「第２の可動レンズ機構」に相当し、第１ガイド光光源３８ａが「第１のガイド光光源」に相当し、第２ガイド光光源３８ｂが「第２のガイド光光源」に相当し、ダイクロイックミラー６６ａが「第１の光注入部」に相当し、ダイクロイックミラー６６ｂが「第２の光注入部」に相当し、硬化用紫外線５４が「第１の紫外線」に相当し、励起紫外線５０が「第２の紫外線」に相当する。
【０１３６】
なお、本実施の形態に従う蛍光測定ヘッド部１０４Ｂでは、ターゲットＴＧに第１および第２のガイド光５８ａ，５８ｂが照射されるので、両者を区別する必要がある。そこで、両者の波長範囲を異なるものに設定することが好ましい。たとえば、第１ガイド光５８ａを「緑色」とし、第１ガイド光５８ａを「赤色」とすることで、ユーザは各ガイド光を区別することができる。
【０１３７】
代替的に、第１および第２のガイド光５８ａ，５８ｂのうちいずれか一方を間欠的に照射するようにしてもよい。すなわち、一方のガイド光を常時点灯するとともに、他方のガイド光を点滅することで、ユーザは各ガイド光を区別することができる。
【０１３８】
また、両方のガイド光とも間欠的に照射するようにしてもよい。この場合には、間欠的に照射する周期を両者の間で異なるものとすることにより、ユーザは各ガイド光を区別することができる。
【０１３９】
また、上述したガイド光５８のビームプロファイル（図５，図６）やガイド光５８の波長範囲（図７）などについても同様に適用できるので、詳細な説明は繰返さない。
【０１４０】
この発明の実施の形態３によれば、投光素子２２から対象物であるターゲットＴＧへ照射される励起紫外線５０の照射領域に対応するように、第１ガイド光５８ａがターゲットＴＧへ照射される。同時に、ターゲットＴＧ（紫外線硬化樹脂１２）における受光素子２８の受光視野に対応するように、第２ガイド光５８ｂがターゲットＴＧへ照射される。
【０１４１】
ここで、ターゲットＴＧにおける硬化状態の測定対象範囲は、ターゲットＴＧにおける励起紫外線５０の照射領域ＡＲ１と、ターゲットＴＧにおける受光素子の受光視野ＡＲ２との重複部分であるので、ユーザは、それぞれ第１ガイド光５８ａおよび第２ガイド光５８ｂの投射像を参照することで、ターゲットＴＧにおける測定対象範囲を把握することができる。
【０１４２】
このように、ユーザは、励起紫外線５０の照射領域と、ターゲットＴＧにおける受光素子２８の受光視野とをそれぞれ調整できるので、より高い自由度で測定対象範囲を確実に所望の範囲に設定できる。
【０１４３】
［実施の形態４］
上述の実施の形態１〜３では、紫外線硬化樹脂１２から放射される蛍光のうち、励起紫外線５０の伝播経路と同一の伝播経路を励起紫外線５０とは逆方向に伝播する蛍光を受光する構成について例示したが、本実施の形態では、励起紫外線５０の伝播経路と異なる伝播経路を伝播する蛍光を受光する構成について例示する。
【０１４４】
本実施の形態に従う紫外線照射装置を備える紫外線照射システムの概略構成については、図１と同様であるので詳細な説明は繰返さない。
【０１４５】
図１２は、この発明の実施の形態４に従うターゲットＴＧにおける測定対象範囲を説明するための外観図である。
【０１４６】
図１２を参照して、この発明の実施の形態４に従う蛍光測定ヘッド部１０４Ｃは、紫外線照射部１０５ａと、蛍光受光部１０５ｂとを含む。紫外線照射部１０５ａは、紫外線硬化樹脂１２を活性化させるための励起紫外線５０を発生するとともに、励起紫外線５０の照射領域ＡＲ１に対応するように第１ガイド光５８ａを照射する。一方、蛍光受光部１０５ｂは、励起紫外線５０を受けて紫外線硬化樹脂１２で発生する蛍光のうち、励起紫外線５０の伝播経路と異なる伝播経路を伝播する蛍光５２を受光するとともに、第２ガイド光５８ｂを受光素子の受光視野ＡＲ２に対応するように照射する。
【０１４７】
紫外線照射部１０５ａは、その外周面に回転可動に配置されたズームリング１０４ｒａに応じて、ターゲットＴＧにおける励起紫外線５０の照射領域ＡＲ１を拡大または縮小し、かつ、この照射領域ＡＲ１の拡大または縮小に伴って第１ガイド光５８ａの照射領域を変化させる。また、蛍光受光部１０５ｂは、その外周面に回転可動に配置されたズームリング１０４ｒｂに応じて、ターゲットＴＧにおける受光素子の受光視野ＡＲ２を拡大または縮小し、かつ、この受光視野ＡＲ２の拡大または縮小に伴って第２ガイド光５８ｂの照射領域を変化させる。
【０１４８】
ユーザは、これらのガイド光５８ａおよび５８ｂの重複部分を参照しながら、ターゲットＴＧと蛍光測定ヘッド部１０４Ｃ（紫外線照射部１０５ａおよび蛍光受光部１０５ｂ）との間の位置関係を調整することで、所望の位置および範囲に硬化状態の測定対象範囲を設定することができる。
【０１４９】
本実施の形態に従う蛍光測定ヘッド部１０４Ｃを含む測定装置の概略構成については、図３と同様であるので詳細な説明は繰返さない。
【０１５０】
図１３は、この発明の実施の形態４に従う蛍光測定ヘッド部１０４Ｃにおける光学的な配置図である。
【０１５１】
図１３を参照して、本実施の形態に従う蛍光測定ヘッド部１０４Ｃは、図１１に示す実施の形態３に従う蛍光測定ヘッド部１０４Ｂにおいて、励起紫外線５０の発生に係る構成と蛍光５２の受光に係る構成とを分離したものに相当する。すなわち、実施の形態３に従う蛍光測定ヘッド部１０４Ｂ（図１１）において、ダイクロイックミラー２４を取り除くとともに、投光素子２２から照射される励起紫外線５０の光学経路上に配置されている各要素を紫外線照射部１０５ａに配置し、紫外線硬化樹脂１２からの蛍光の光学経路上に配置されている各要素を蛍光受光部１０５ｂに配置したものである。なお、ダイクロイックミラー２４よりターゲットＴＧ側に配置されていた集束レンズ６８は、それぞれ集束レンズ６８ａおよび６８ｂとして、紫外線照射部１０５ａおよび蛍光受光部１０５ｂに配置される。
【０１５２】
本実施の形態に従う蛍光測定ヘッド部１０４Ｃは、ターゲットＴＧから放射される蛍光のうち受光される蛍光５２の伝播経路が励起紫外線５０の伝播経路と異なる点を除いて、実施の形態３に従う蛍光測定ヘッド部１０４Ｂと同様であるので、各部の機能および動作についての詳細な説明は繰返さない。
【０１５３】
上述した図１３と本願発明との対応関係については、蛍光測定ヘッド部１０４Ｃが「紫外線照射装置」に相当し、投光素子２２が「紫外線光源」に相当し、受光素子２８が「受光部」に相当し、可動レンズ機構７２ａおよび７２ｂが「光学系」に相当し、第１可動レンズ機構７２ａが「第１の可動レンズ機構」に相当し、第２可動レンズ機構７２ｂが「第２の可動レンズ機構」に相当し、第１ガイド光光源３８ａが「第１のガイド光光源」に相当し、第２ガイド光光源３８ｂが「第２のガイド光光源」に相当し、ダイクロイックミラー６６ａが「第１の光注入部」に相当し、ダイクロイックミラー６６ｂが「第２の光注入部」に相当し、硬化用紫外線５４が「第１の紫外線」に相当し、励起紫外線５０が「第２の紫外線」に相当する。
【０１５４】
この発明の実施の形態４によれば、上述した実施の形態３と同様の効果に加えて、励起紫外線５０の照射領域および照射方向、ならびに受光素子２８の受光視野の大きさおよびその方向のいずれについても独立に調整できるので、より高い自由度で測定対象範囲を確実に所望の範囲に設定できる。
【０１５５】
なお、上述の実施の形態１〜４において、ユーザなどからガイド光の照射指令を受けると、ガイド光の発生を開始するとともに、励起紫外線の発生を停止またはその強度を低減するように構成してもよい。これは、ガイド光の照射中は、ターゲットにおける硬化状態の測定対象範囲を所望の位置とするように、ユーザが蛍光測定ヘッド部の位置や方向を調整することが想定されるので、この調整作業におけるユーザの安全性を確保するために、励起紫外線の照射を停止または励起紫外線の強度を安全なレベルまで低減することが望ましい。
【０１５６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１５７】
【図１】この発明の実施の形態１に従う紫外線照射装置を備える紫外線照射システム１の概略構成図である。
【図２】この発明の実施の形態１に従うターゲットにおける測定対象範囲を説明するための外観図である。
【図３】この発明の実施の形態１に従う測定装置のより詳細な概略構成図である。
【図４】この発明の実施の形態１に従う蛍光測定ヘッド部における光学的な配置図である。
【図５】この発明の実施の形態１に従うガイド光のビームプロファイルの一例を示す図である。
【図６】図５（ｄ）に示すビームプロファイルをもつガイド光を発生するための構成を示す概略図である。
【図７】保護メガネを装着した状態での視認可能特性の一例を示す図である。
【図８】この発明の実施の形態２に従うターゲットにおける測定対象範囲を説明するための外観図である。
【図９】この発明の実施の形態２に従う蛍光測定ヘッド部における光学的な配置図である。
【図１０】この発明の実施の形態３に従うターゲットにおける測定対象範囲を説明するための外観図である。
【図１１】この発明の実施の形態３に従う蛍光測定ヘッド部における光学的な配置図である。
【図１２】この発明の実施の形態４に従うターゲットにおける測定対象範囲を説明するための外観図である。
【図１３】この発明の実施の形態４に従う蛍光測定ヘッド部における光学的な配置図である。
【符号の説明】
【０１５８】
１  紫外線照射システム、６  基材、８  被着体、１２  紫外線硬化樹脂、２０  投光駆動回路、２２  投光素子、２４，６６  ダイクロイックミラー、２６  光フィルタ、２８  受光素子、３０  ハイパスフィルタ回路（ＨＰＦ）、３２  増幅回路、３４  サンプルホールド回路（Ｓ／Ｈ）、３６  アナログデジタル変換部（ＡＤＣ）、３８，３８ａ，３８ｂ  ガイド光光源、４２  表示部、４４  操作部、４６  記憶部、４８  インターフェイス部（Ｉ／Ｆ）、５０  励起紫外線、５２  蛍光、５４  硬化用紫外線、５８，５８ａ，５８ｂ  ガイド光、６０，６４，６４ａ，６４ｂ  コリメートレンズ、６２，６８，６８ａ，６８ｂ  集束レンズ、６６，６６ａ，６６ｂ  ダイクロイックミラー、７２，７２ａ，７２ｂ  可動レンズ機構、７４，７４ａ，７４ｂ  可動レンズ、８４  マスク部、１００  測定装置、１０２，２０２  制御部、１０４ｒ，１０４ｒａ，１０４ｒｂ  ズームリング、１０４，１０４Ａ，１０４Ｂ，１０４Ｃ  蛍光測定ヘッド部、１０５ａ  紫外線照射部、１０５ｂ  蛍光受光部、２００  光源装置、２０４  照射ヘッド部、ＡＲ１  照射領域、ＡＲ２  受光視野、ＩＭＧ  投射像、ＴＧ  ターゲット。
【図１】
2009074927.tif 000003
【図２】
2009074927.tif 000004
【図３】
2009074927.tif 000005
【図４】
2009074927.tif 000006
【図５】
2009074927.tif 000007
【図６】
2009074927.tif 000008
【図７】
2009074927.tif 000009
【図８】
2009074927.tif 000010
【図９】
2009074927.tif 000011
【図１０】
2009074927.tif 000012
【図１１】
2009074927.tif 000013
【図１２】
2009074927.tif 000014
【図１３】
2009074927.tif 000015